(57)【要約】【課題】通信端末装置の上り送信電力値を適正な値にし、また、基地局の下り送信電力値を適正な値にすること。【解決手段】ＣＤＭＡ受信装置１００は、受信信号を処理し自動的に受信ゲインを制御するＡＧＣ手段を備えるアナログ受信部１０２又は１０３の出力信号からアナログ受信１０３又は１０２の出力信号へ選択を切り替える選択切替スイッチ部１０４と、選択切替スイッチ部１０４による選択を切り替える切替遷移期間において通信相手側の通信端末装置からの上り送信電力値を増加させる指示と前記上り送信電力値を減少させる指示を所定周期で交互に生成するＴＰＣ決定部１０９と、を具備する。【選択図】　　　図１
2004064242.tif 000002
【特許請求の範囲】
【請求項１】
受信信号を処理し自動的に受信ゲインを制御するＡＧＣ手段を備える第１及び第２のアナログ受信手段と、前記第１アナログ受信手段又は前記第２のアナログ受信手段の出力信号のいずれかを選択する選択切替手段と、前記選択切替手段からの出力信号をＲＡＫＥ受信処理した後の信号を用いて通信相手側の通信端末装置からの上り送信電力値の増減を制御する上り送信電力制御手段と、を具備することを特徴とするＣＤＭＡ受信装置。
【請求項２】
前記上り送信電力制御手段は、前記第１又は第２のアナログ受信手段の出力信号から前記第２又は第１のアナログ受信手段の出力信号への前記選択切替手段による選択の切替の時間である切替遷移期間において、前記通信端末装置からの前記上り送信電力値を増加させる指示と前記上り送信電力値を減少させる指示を所定周期で交互に生成することを特徴とする請求項１記載のＣＤＭＡ受信装置。
【請求項３】
前記上り送信電力制御手段は、前記第１又は第２のアナログ受信手段の出力信号から前記第２又は第１のアナログ受信手段の出力信号への前記選択切替手段による選択の切替の時間である切替遷移期間において、前記選択切替手段による切替の直前に選択されていた前記第１又は第２のアナログ受信手段により算出したＡＧＣ値を用いてＲＡＫＥ受信処理した後の信号を用いて基準ＳＩＲ及び測定ＳＩＲを算出し、前記基準ＳＩＲ及び測定ＳＩＲに基づいて前記通信端末装置からの前記上り送信電力値を増加させる指示又前記上り送信電力値を減少させる指示を生成することを特徴とする請求項１記載のＣＤＭＡ受信装置。
【請求項４】
前記選択切替手段による切替の時間である前記切替遷移期間において用いる前記ＡＧＣ値として、前記選択切替手段による切替の直前に選択されていた前記第１又は第２のアナログ受信手段により算出したＡＧＣ値の平均値を用いることを特徴とする請求項２記載のＣＤＭＡ受信装置。
【請求項５】
前記下り送信電力制御手段は、前記第１又は第２のアナログ受信手段の出力信号から前記第２又は第１のアナログ受信手段の出力信号への前記選択切替手段による選択の切替の時間である切替遷移期間において、前記下り送信電力値を前記選択切替手段による選択の切替の直前の下り送信電力値とすることを特徴とする請求項１記載のＣＤＭＡ受信装置。
【請求項６】
前記下り送信電力制御手段は、前記第１又は第２のアナログ受信手段の出力信号から前記第２又は第１のアナログ受信手段の出力信号への前記選択切替手段による選択の切替の時間である切替遷移期間において、前記選択切替手段による切替の直前に選択されていた前記第１又は第２のアナログ受信手段により算出したＡＧＣ値を用いてＲＡＫＥ受信処理した後の信号を用いて、前記通信端末装置から送信されてきた送信電力制御ビットを復調し、前記復調後の送信電力制御ビットに基づいて前記下り送信電力値の増減を制御することを特徴とする請求項１記載のＣＤＭＡ受信装置。
【請求項７】
前記選択切替手段による切替の時間である前記切替遷移期間において用いる前記ＡＧＣ値として、前記選択切替手段による切替の直前に選択されていた前記第１又は第２のアナログ受信手段により算出したＡＧＣ値の平均値を用いることを特徴とする請求項５記載のＣＤＭＡ受信装置。
【請求項８】
請求項１から請求項７のいずれかに記載のＣＤＭＡ受信装置を具備することを特徴とする基地局装置。
【請求項９】
受信信号を処理し自動的に受信ゲインを制御するＡＧＣ手段を備える第１又は第２のアナログ受信手段の出力信号から前記第２又は第１のアナログ受信手段の出力信号へ選択を切り替える切替ステップと、前記切替ステップの切替の時間である切替遷移期間において通信相手側の通信端末装置からの上り送信電力値を増加させる指示と前記上り送信電力値を減少させる指示を所定周期で交互に生成するステップと、を具備することを特徴とするＣＤＭＡ受信方法。
【請求項１０】
受信信号を処理し自動的に受信ゲインを制御するＡＧＣ手段を備える第１又は第２のアナログ受信手段の出力信号から前記第２又は第１のアナログ受信手段の出力信号へ選択を切り替える切替ステップと、前記切替ステップの切替の時間である切替遷移期間において前記切替の直前に選択されていた前記第１又は第２のアナログ受信手段により算出したＡＧＣ値を用いてＲＡＫＥ受信処理した後の信号を用いて基準ＳＩＲ及び測定ＳＩＲを算出するＳＩＲ算出ステップと、前記ＳＩＲ算出ステップにおいて算出された前記基準ＳＩＲ及び測定ＳＩＲに基づいて通信相手側の通信端末装置からの上り送信電力値を増加させる指示又前記上り送信電力値を減少させる指示を生成するステップと、を具備することを特徴とするＣＤＭＡ受信方法。
【請求項１１】
受信信号を処理し自動的に受信ゲインを制御するＡＧＣ手段を備える第１又は第２のアナログ受信手段の出力信号から前記第２又は第１のアナログ受信手段の出力信号へ選択を切り替える切替ステップと、前記切替ステップの切替の時間である切替遷移期間において下り送信電力値を前記選択の切替の直前の下り送信電力値とすることを特徴とするＣＤＭＡ受信方法。
【請求項１２】
受信信号を処理し自動的に受信ゲインを制御するＡＧＣ手段を備える第１又は第２のアナログ受信手段の出力信号から前記第２又は第１のアナログ受信手段の出力信号へ選択を切り替える切替ステップと、前記切替ステップの切替の時間である切替遷移期間において前記切替の直前に選択されていた前記第１又は第２のアナログ受信手段により算出したＡＧＣ値を用いてＲＡＫＥ受信処理した後の信号を用いて通信相手側の通信端末装置から送信されてきた送信電力制御ビットを復調するステップと、前記復調後の送信電力制御ビットに基づいて下り送信電力値の増減を制御するステップと、を具備することを特徴とするＣＤＭＡ受信方法。
【発明の詳細な説明】
【０００１】
【発明の属する技術分野】
本発明は、直接拡散ＣＤＭＡ（Ｃｏｄｅ　Ｄｉｖｉｓｉｏｎａｌ　Ｍｕｌｔｉｐｌｅ　Ａｃｃｅｓｓ）方式を用いた移動体通信システムにおいて、到来波を受信処理するＣＤＭＡ受信装置及びＣＤＭＡ受信方法に関する。
【０００２】
【従来の技術】
図７は、従来のＣＤＭＡ受信装置の構成を示すブロック図である。従来のＣＤＭＡ受信装置７００は、アンテナ７０１、アナログ受信部７０２、７０３、選択切替スイッチ部７０４、監視制御部７０５、ＲＡＫＥ受信部７０６、基準ＳＩＲ決定部７０７、受信ＳＩＲ測定部７０８、ＴＰＣ決定部７０９、拡散多重部７１０及びアナログ送信部７１１を具備している。
【０００３】
アンテナ７０１は、到来してくる電波である情報を受信して受信信号を生成してアナログ受信部７０２、７０３に与える。アナログ受信部７０２、７０３の一方は現用系として用いられる。アナログ受信部７０２、７０３の他方は、アナログ受信部７０２、７０３の一方が故障した時のバックアップのための予備系として用いられる。アナログ受信部７０２、７０３は、アンテナ７０１からの受信信号のＡＧＣ補正をし、受信信号をＡＤ変換する。
【０００４】
監視制御部７０５は、現用系のアナログ受信部７０２又は７０３の故障状態を監視している。監視制御部７０５は、現用系のアナログ受信部７０２又は７０３の故障を検出すると、切替スイッチ部７０４に対して入力先を現用系のアナログ受信部７０２又は７０３から予備系のアナログ受信部７０３又は７０２へ切り替える切替指示を与える。切替スイッチ部７０４は、監視制御部７０５からの切替指示に応じて現用系のアナログ受信部７０２又は７０３の出力信号から予備系のアナログ受信部７０３又は７０２の出力信号に選択を切り替えて選択した出力信号を受信信号としてＲＡＫＥ受信部７０６に送る。
【０００５】
ＲＡＫＥ受信部７０６は、ＡＤ変換後の受信信号を逆拡散し、ＲＡＫＥ合成して信号を生成する。基準ＳＩＲ決定部７０７は、ＲＡＫＥ受信部７０６でＲＡＫＥ合成された信号を用いて受信品質を測定し、所望の受信品質を満足するように基準ＳＩＲを決定する。ここで、ＳＩＲは、希望波対干渉波受信電力比（Ｓｉｇｎａｌ　ｔｏ　ｉｎｔｅｒｆａｒｅｎｃｅ　Ｒａｔｉｏ）である。
【０００６】
受信ＳＩＲ測定部７０８は、ＲＡＫＥ受信部７０６からの信号を用いて受信ＳＩＲを測定する。ＴＰＣ（Ｔｒａｎｓｍｉｓｓｉｏｎ　Ｐｏｗｅｒ　Ｃｏｎｔｒｏｌビット）決定部７０９は、受信ＳＩＲ測定部７０８で測定した受信ＳＩＲと基準ＳＩＲ決定部７０７で決定した基準ＳＩＲを比較して、上り送信電力制御用ＴＰＣビットを生成して拡散多重部７１０に与える。拡散多重部７１０は、ＴＰＣ決定部７０９からの上り送信電力制御用ＴＰＣビットを拡散多重してアナログ送信部７１１に与える。アナログ送信部７１１は、拡散多重部７１０からの拡散多重された上り送信電力制御用ＴＰＣビットをＤＡ変換してアンテナ７０１に与える。アンテナ７０１は、アナログ送信部７１１からの上り送信電力制御用ＴＰＣビットを電波として通信端末装置に送信する。
【０００７】
図８は、従来の他のＣＤＭＡ受信装置の構成を示すブロック図である。図８に示す従来のＣＤＭＡ受信装置においては、図７に示すＣＤＭＡ受信装置と同じ構成要素には同じ参照符号が付されている。
【０００８】
図８に示すように、ＣＤＭＡ受信装置８００は、アンテナ７０１、アナログ受信部７０２、７０３、選択切替スイッチ部７０４、監視制御部７０５、ＲＡＫＥ受信部７０６、ＴＰＣ抽出部８０１、送信電力決定部８０２、拡散多重部７１０及びアナログ送信部７１１を具備している。
【０００９】
アンテナ７０１、アナログ受信部７０２、７０３、選択切替スイッチ部７０４、監視制御部７０５、ＲＡＫＥ受信部７０６、拡散多重部７１０及びアナログ送信部７１１は、図７に示すものと同じである。
【００１０】
ＴＰＣ抽出部８０１は、ＲＡＫＥ受信部７０６からの信号に基づいて通信端末装置から送信された下り送信電力制御用ＴＰＣビットを得る。送信電力決定部８０２は、ＴＰＣ抽出部８０１が求めた下り送信電力制御用ＴＰＣビットを用いて下り送信電力値を決定する。
【００１１】
【発明が解決しようとする課題】
しかしながら、従来のＣＤＭＡ受信装置においては、現用系のアナログ受信部が故障した時等により予備系のアナログ受信部への切替えが発生した時に、予備系のアナログ受信部の内部でＡＧＣを改めて開始するため、ＡＧＣ開始からＡＧＣ補正値がある値に収束するまでにある程度の時間（切替遷移期間）を必要とする。したがって、切替遷移期間中のＡＧＣ補正値は期待値である保証がないので、ＡＧＣ補正値を用いる遅延プロファイルの作成及びＲＡＫＥ合成の出力も期待値となる保証がない。その結果、ＲＡＫＥ合成後の出力を用いて算出される希望波受信電力対干渉波受信電力比（ＳＩＲ）の測定値が不定値となるため、上り送信電力制御用ＴＰＣビットも不定値なり、上り送信電力制御用ＴＰＣビットを参照後に送信電力を決定する通信端末装置の上り送信電力値が過大又は過小となるという問題がある。
【００１２】
また、従来のＣＤＭＡ受信装置においては、切替遷移期間中は前述したようにＲＡＫＥ合成出力が不定値となるため、ＲＡＫＥ合成出力を用いて求められる下り送信電力制御用ＴＰＣビットも不定値となるので、基地局の下り送信電力値が過大又は過小となるという問題がある。
【００１３】
本発明は、かかる点に鑑みてなされたものであり、上り送信電力制御用ＴＰＣビットが不定値となることを防止して通信端末装置の上り送信電力値を適正な値にすることができるＣＤＭＡ受信装置及びＣＤＭＡ受信方法を提供することを目的とする。
【００１４】
また、本発明は、制御に用いる下り送信電力値が不定値となることを防止して基地局の下り送信電力値を適正な値にすることができるＣＤＭＡ受信装置及びＣＤＭＡ受信方法を提供することを目的とする。
【００１５】
【課題を解決するための手段】
本発明のＣＤＭＡ受信装置は、受信信号を処理し自動的に受信ゲインを制御するＡＧＣ手段を備える第１及び第２のアナログ受信手段と、前記第１アナログ受信手段又は前記第２のアナログ受信手段の出力信号のいずれかを選択する選択切替手段と、前記選択切替手段からの出力信号をＲＡＫＥ受信処理した後の信号を用いて通信相手側の通信端末装置からの上り送信電力値の増減を制御する上り送信電力制御手段と、を具備する構成を採る。
【００１６】
本発明のＣＤＭＡ受信装置は、前記構成において、前記上り送信電力制御手段が、前記第１又は第２のアナログ受信手段の出力信号から前記第２又は第１のアナログ受信手段の出力信号への前記選択切替手段による選択の切替の時間である切替遷移期間において、前記通信端末装置からの前記上り送信電力値を増加させる指示と前記上り送信電力値を減少させる指示を所定周期で交互に生成する構成を採る。
【００１７】
これらの構成によれば、切替遷移期間において通信相手側の通信端末装置からの上り送信電力値を増加させる指示と前記上り送信電力値を減少させる指示を所定周期で交互に生成するため、上り送信電力制御用ＴＰＣビットが不定値となることを防止して、通信相手側である通信端末装置からの上り送信電力値が所定周期毎に所定幅で増減を繰り返すこととなるから、通信端末装置の上り送信電力値を適正な値にすることができる。
【００１８】
本発明のＣＤＭＡ受信装置は、前記構成において、前記上り送信電力制御手段が、前記第１又は第２のアナログ受信手段の出力信号から前記第２又は第１のアナログ受信手段の出力信号への前記選択切替手段による選択の切替の時間である切替遷移期間において、前記選択切替手段による切替の直前に選択されていた前記第１又は第２のアナログ受信手段により算出したＡＧＣ値を用いてＲＡＫＥ受信処理した後の信号を用いて基準ＳＩＲ及び測定ＳＩＲを算出し、前記基準ＳＩＲ及び測定ＳＩＲに基づいて前記通信端末装置からの前記上り送信電力値を増加させる指示又前記上り送信電力値を減少させる指示を生成する構成を採る。
【００１９】
この構成によれば、上り送信電力制御手段が、切替遷移期間において、選択切替手段による切替の直前に選択されていた第１又は第２のアナログ受信手段により算出したＡＧＣ値を用いてＲＡＫＥ受信処理した後の信号を用いて基準ＳＩＲ及び測定ＳＩＲを算出し、前記基準ＳＩＲ及び測定ＳＩＲに基づいて通信相手側の通信端末装置からの前記上り送信電力値を増加させる指示又前記上り送信電力値を減少させる指示を生成するため、不安定なＡＧＣ値を用いずに上り送信電力制御をすることができるから、通信端末装置の上り送信電力値を適正な値にすることができる。
【００２０】
本発明ＣＤＭＡ受信装置は、前記構成において、前記選択切替手段による切替の時間である前記切替遷移期間において用いる前記ＡＧＣ値として、前記選択切替手段による切替の直前に選択されていた前記第１又は第２のアナログ受信手段により算出したＡＧＣ値の平均値を用いる構成を採る。
【００２１】
この構成によれば、前記効果に加えて、切替遷移期間において用いるＡＧＣ値として、選択切替手段による切替の直前に選択されていた第１又は第２のアナログ受信手段により算出したＡＧＣ値の平均値を用いるため、不安定なＡＧＣ値を用いずに上り送信電力制御をすることができるから、通信端末装置の上り送信電力値を適正な値にすることができる。
【００２２】
本発明のＣＤＭＡ受信装置は、前記構成において、前記下り送信電力制御手段が、前記第１又は第２のアナログ受信手段の出力信号から前記第２又は第１のアナログ受信手段の出力信号への前記選択切替手段による選択の切替の時間である切替遷移期間において、前記下り送信電力値を前記選択切替手段による選択の切替の直前の下り送信電力値とする構成を採る。
【００２３】
この構成によれば、切替遷移期間において、制御に用いる下り送信電力値を選択切替手段による選択の切替の直前の下り送信電力値とするため、下り送信電力値が不定値となることを防止して基地局の下り送信電力値を適正な値にすることができる。
【００２４】
本発明のＣＤＭＡ受信装置は、前記構成において、前記下り送信電力制御手段が、前記第１又は第２のアナログ受信手段の出力信号から前記第２又は第１のアナログ受信手段の出力信号への前記選択切替手段による選択の切替の時間である切替遷移期間において、前記選択切替手段による切替の直前に選択されていた前記第１又は第２のアナログ受信手段により算出したＡＧＣ値を用いてＲＡＫＥ受信処理した後の信号を用いて、前記通信端末装置から送信されてきた送信電力制御ビットを復調し、前記復調後の送信電力制御ビットに基づいて前記下り送信電力値の増減を制御する構成を採る。
【００２５】
この構成によれば、切替遷移期間において、選択切替手段による切替の直前に選択されていた第１又は第２のアナログ受信手段により算出したＡＧＣ値を用いてＲＡＫＥ受信処理した後の信号を用いて、通信相手側の通信端末装置から送信されてきた送信電力制御ビットを復調し、前記復調後の送信電力制御ビットに基づいて前記下り送信電力値の増減を制御するため、不安定なＡＧＣ値を用いずに下り送信電力制御をすることができるから、制御に用いる前記下り送信電力値が不定値となることを防止して基地局の下り送信電力値を適正な値にすることができる。
【００２６】
本発明のＣＤＭＡ受信装置は、前記構成において、前記選択切替手段による切替の時間である前記切替遷移期間において用いる前記ＡＧＣ値として、前記選択切替手段による切替の直前に選択されていた前記第１又は第２のアナログ受信手段により算出したＡＧＣ値の平均値を用いる構成を採る。
【００２７】
この構成によれば、前記効果に加えて、切替遷移期間において用いるＡＧＣ値として、選択切替手段による切替の直前に選択されていた第１又は第２のアナログ受信手段により算出したＡＧＣ値の平均値を用いるため、制御に用いる前記下り送信電力値が不定値となることを防止して基地局の下り送信電力値を適正な値にすることができる。
【００２８】
本発明の基地局装置は、前記ＣＤＭＡ受信装置を具備する構成を採る。
【００２９】
この構成によれば、前記効果を有する基地局装置が得られる。
【００３０】
本発明のＣＤＭＡ受信方法は、受信信号を処理し自動的に受信ゲインを制御するＡＧＣ手段を備える第１又は第２のアナログ受信手段の出力信号から前記第２又は第１のアナログ受信手段の出力信号へ選択を切り替える切替ステップと、前記切替ステップの切替の時間である切替遷移期間において通信相手側の通信端末装置からの上り送信電力値を増加させる指示と前記上り送信電力値を減少させる指示を所定周期で交互に生成するステップと、を具備するようにした。
【００３１】
この方法によれば、切替遷移期間において通信相手側の通信端末装置からの上り送信電力値を増加させる指示と前記上り送信電力値を減少させる指示を所定周期で交互に生成するため、上り送信電力制御用ＴＰＣビットが不定値となることを防止して、通信相手側である通信端末装置からの上り送信電力値が所定周期毎に所定幅で増減を繰り返すこととなるから、通信端末装置の上り送信電力値を適正な値にすることができる。
【００３２】
本発明のＣＤＭＡ受信方法は、受信信号を処理し自動的に受信ゲインを制御するＡＧＣ手段を備える第１又は第２のアナログ受信手段の出力信号から前記第２又は第１のアナログ受信手段の出力信号へ選択を切り替える切替ステップと、前記切替ステップの切替の時間である切替遷移期間において前記切替の直前に選択されていた前記第１又は第２のアナログ受信手段により算出したＡＧＣ値を用いてＲＡＫＥ受信処理した後の信号を用いて基準ＳＩＲ及び測定ＳＩＲを算出するＳＩＲ算出ステップと、前記ＳＩＲ算出ステップにおいて算出された前記基準ＳＩＲ及び測定ＳＩＲに基づいて通信相手側の通信端末装置からの上り送信電力値を増加させる指示又前記上り送信電力値を減少させる指示を生成するステップと、を具備するようにした。
【００３３】
この方法によれば、切替遷移期間において、第１又は第２のアナログ受信手段の出力信号に対する選択の切替の直前に選択されていた第１又は第２のアナログ受信手段により算出したＡＧＣ値を用いてＲＡＫＥ受信処理した後の信号を用いて基準ＳＩＲ及び測定ＳＩＲを算出し、前記基準ＳＩＲ及び測定ＳＩＲに基づいて通信相手側の通信端末装置からの前記上り送信電力値を増加させる指示又前記上り送信電力値を減少させる指示を生成するため、不安定なＡＧＣ値を用いずに上り送信電力制御をすることができるから、通信端末装置の上り送信電力値を適正な値にすることができる。
【００３４】
本発明のＣＤＭＡ受信方法は、受信信号を処理し自動的に受信ゲインを制御するＡＧＣ手段を備える第１又は第２のアナログ受信手段の出力信号から前記第２又は第１のアナログ受信手段の出力信号へ選択を切り替える切替ステップと、前記切替ステップの切替の時間である切替遷移期間において下り送信電力値を前記選択の切替の直前の下り送信電力値とするようにした。
【００３５】
この方法によれば、切替遷移期間において、下り送信電力値を第１又は第２のアナログ受信手段の出力信号に対する選択の切替の直前の下り送信電力値とするため、制御に用いる下り送信電力値が不定値となることを防止して基地局の下り送信電力値を適正な値にすることができる。
【００３６】
本発明のＣＤＭＡ受信方法は、受信信号を処理し自動的に受信ゲインを制御するＡＧＣ手段を備える第１又は第２のアナログ受信手段の出力信号から前記第２又は第１のアナログ受信手段の出力信号へ選択を切り替える切替ステップと、前記切替ステップの切替の時間である切替遷移期間において前記切替の直前に選択されていた前記第１又は第２のアナログ受信手段により算出したＡＧＣ値を用いてＲＡＫＥ受信処理した後の信号を用いて、通信相手側の通信端末装置から送信されてきた送信電力制御ビットを復調するステップと、前記復調後の送信電力制御ビットに基づいて下り送信電力値の増減を制御するステップと、を具備するようにした。
【００３７】
この方法によれば、切替遷移期間において、第１又は第２のアナログ受信手段の出力信号に対する選択の切替の直前に選択されていた第１又は第２のアナログ受信手段により算出したＡＧＣ値を用いてＲＡＫＥ受信処理した後の信号を用いて、通信相手側の通信端末装置から送信されてきた送信電力制御ビットを復調し、前記復調後の送信電力制御ビットに基づいて前記下り送信電力値の増減を制御するため、不安定なＡＧＣ値を用いずに下り送信電力制御をすることができるから、制御に用いる前記下り送信電力値が不定値となることを防止して基地局の下り送信電力値を適正な値にすることができる。
【００３８】
【発明の実施の形態】
本発明の第１の骨子は、受信信号を処理し自動的に受信ゲインを制御するＡＧＣ手段を備える第１又は第２のアナログ受信手段の出力信号から前記第２又は第１のアナログ受信手段の出力信号へ選択を切り替える切替遷移期間において、通信相手側の通信端末装置からの上り送信電力値を増加させる指示と前記上り送信電力値を減少させる指示を所定周期で交互に生成することである。
【００３９】
また、本発明の第２の骨子は、受信信号を処理し自動的に受信ゲインを制御するＡＧＣ手段を備える第１又は第２のアナログ受信手段の出力信号から前記第２又は第１のアナログ受信手段の出力信号へ選択を切り替える切替遷移期間において、前記切替の直前に選択されていた前記第１又は第２のアナログ受信手段により算出したＡＧＣ値を用いてＲＡＫＥ受信処理した後の信号を用いて基準ＳＩＲ及び測定ＳＩＲを算出し、前記基準ＳＩＲ及び測定ＳＩＲに基づいて通信相手側の通信端末装置からの上り送信電力値を増加させる指示又前記上り送信電力値を減少させる指示を生成することである。
【００４０】
以下、本発明の実施の形態について、図面を参照して詳細に説明する。
【００４１】
（実施の形態１）
図１は、本発明の実施の形態１に係るＣＤＭＡ受信装置の構成を示すブロック図である。図１に示すＣＤＭＡ受信装置は、移動通信システムの基地局装置に用いたものである。
【００４２】
図１に示すように、本発明の実施の形態１に係るＣＤＭＡ受信装置１００は、アンテナ１０１、アナログ受信部１０２、１０３、選択切替スイッチ部１０４、監視制御部１０５、ＲＡＫＥ受信部１０６、基準ＳＩＲ決定部１０７、受信ＳＩＲ測定部１０８、ＴＰＣ決定部１０９、拡散多重部１１０及びアナログ送信部１１１を具備している。
【００４３】
アナログ受信部１０２、１０３の入力端子は、アンテナ１０１の出力端子に接続されている。選択切替スイッチ部１０４の入力端子は、アナログ受信部１０２、１０３の出力端子に接続されている。監視制御部１０５は、アナログ受信部１０２、１０３と選択切替スイッチ部１０４との間に接続されている。ＲＡＫＥ受信部１０６の入力端子は、選択切替スイッチ部１０４の出力端子に接続されている。基準ＳＩＲ決定部１０７の入力端子は、ＲＡＫＥ受信部１０６の出力端子に接続されている。受信ＳＩＲ測定部１０８の入力端子は、ＲＡＫＥ受信部１０６の出力端子に接続されている。ＴＰＣ決定部１０９の入力端子は、監視制御部１０５、基準ＳＩＲ決定部１０７及び受信ＳＩＲ測定部１０８の出力端子に接続されている。拡散多重部１１０の入力端子は、ＴＰＣ決定部１０９の出力端子に接続されている。アナログ送信部１１１の入力端子は、拡散多重部１１０の出力端子に接続されている。アナログ送信部１１１の出力端子は、アンテナ１０１の入力端子に接続されている。
【００４４】
アンテナ１０１は、到来してくる電波である情報を受信して処理し受信信号を生成してアナログ受信部１０２、１０３に与える。アナログ受信部１０２、１０３の一方は現用系として用いられる。アナログ受信部１０２、１０３の他方は、アナログ受信部１０２、１０３の一方が故障した時のバックアップのための予備系として用いられる。アナログ受信部１０２、１０３は、受信信号に対して自動的にＡＧＣ補正による受信ゲインの制御を行ってＡＧＣ値を算出した後に、受信信号をＡＤ変換する。
【００４５】
監視制御部１０５は、現用系のアナログ受信部１０２又は１０３の故障状態を監視している。監視制御部１０５は、現用系のアナログ受信部１０２又は１０３の故障を検出すると、切替スイッチ部１０４に対して入力先を現用系のアナログ受信部１０２又は１０３から予備系のアナログ受信部１０３又は１０２へ切り替える切替指示を与える。切替スイッチ部１０４は、監視制御部１０５からの切替指示に応じて現用系のアナログ受信部１０２又は１０３の出力信号から予備系のアナログ受信部１０３又は１０２の出力信号に選択を切り替えて選択した出力信号を受信信号としてＲＡＫＥ受信部１０６に送る。
【００４６】
ＲＡＫＥ受信部１０６は、ＡＤ変換後の受信信号に対して所定のタイミングで逆拡散処理を行い、パス数分の逆拡散処理出力に対して伝搬路における位相ずれを補正した後に、タイミング調整を行い最大比合成する。ここで、ＲＡＫＥ受信部１０６における処理の中で振幅情報を用いる処理は、現用系のアナログ受信部１０２又は１０３で求めたＡＧＣ値を用いて行う。基準ＳＩＲ決定部１０７は、ＲＡＫＥ受信部１０６によるＲＡＫＥ受信処理の後の復調後の信号を用いて受信品質を測定して所望の受信品質を満足するような基準ＳＩＲを決定する。
【００４７】
受信ＳＩＲ測定部１０８は、ＲＡＫＥ受信部１０６によるＲＡＫＥ受信処理の後のパイロットシンボル等の復調後の信号を用いて受信ＳＩＲを測定する。ＴＰＣ決定部１０５は、基準ＳＩＲ決定部１０７からの基準ＳＩＲと受信ＳＩＲ測定部１０８からの受信ＳＩＲとを比較して、受信ＳＩＲの方が基準ＳＩＲより小さい時に通信相手側の通信端末装置からの上り送信電力値を増加させる指示を上り送信電力制御用ＴＰＣビットとし、かつ、受信ＳＩＲの方が基準ＳＩＲより大きい時に通信相手側の移動Ｕ局からの上り送信電力値を減少させる指示を上り送信電力制御用ＴＰＣビットとして拡散多重部１１０に与える。拡散多重部１１０は、ＴＰＣ決定部１０９からの上り送信電力制御用ＴＰＣビットを拡散多重してアナログ送信部１１１に与える。アナログ送信部１１１は、拡散多重部１１０からの拡散多重された上り送信電力制御用ＴＰＣビットをＤＡ変換してアンテナ１０１に与える。アンテナ１０１は、アナログ送信部１１１からの上り送信電力制御用ＴＰＣビットを電波として通信端末装置に送信する。
【００４８】
ここで、監視制御部１０５は、現用系のアナログ受信部１０２又は１０３の故障を検出すると、切替スイッチ部１０４に対して入力先を現用系のアナログ受信部１０２又は１０３から予備系のアナログ受信部１０３又は１０２へ切り替える切替指示を与える。切替スイッチ部１０４は、監視制御部１０５からの切替指示に応じて現用系のアナログ受信部１０２又は１０３の出力信号から予備系のアナログ受信部１０３又は１０２の出力信号に選択を切り替えて選択した出力信号を受信信号としてＲＡＫＥ受信部１０６に送る。
【００４９】
切替スイッチ部１０４による選択の切替の時に、予備系のアナログ受信部１０２又は１０３は、所定のセクタ又はセクタ毎のブランチに対応してＡＧＣ補正を開始する。予備系のアナログ受信部１０２又は１０３によるＡＧＣ補正を開始してからＡＧＣ補正値がある値に収束するまでには切替遷移期間だけ必要とし、この切替遷移期間のＡＧＣ補正値は不定値である可能性が高い。不定値であるＡＧＣ補正値を用いてＲＡＫＥ受信した復調結果はやはり不定値となることが多い。この不定値となる復調結果を用いて受信ＳＩＲ測定や基準ＳＩＲ測定を行うと、ＴＰＣ決定部１０７で求められる上り送信電力制御用ＴＰＣビットも不定値となる。このため、通信相手側の通信端末装置からの上り送信電力値が過大又は過小となる。
【００５０】
この問題を防ぐために、監視制御部１０５は、切替遷移期間において切替指示をＴＰＣ決定部１０９に与え、かつ、ＴＰＣ決定部１０９は、切替指示を受けている期間において受信ＳＩＲ測定部１０８及び基準ＳＩＲ決定部１０７の出力に関わらず上り送信電力制御用ＴＰＣビットを上り送信電力値を増加させる指示と上り送信電力値を減少させる指示を所定周期で交互に生成し、拡散多重部１１０に与える。例えば、上り送信電力値を増加させる指示の値を「１」とし、上り送信電力値を減少させる指示の値を「０」とし、上り送信電力制御を６６６．７μｓ周期で行っている場合には、ＴＰＣ決定部１０５は、６６６．７μｓ周期で上り送信電力制御用ＴＰＣビットを「１」又は「０」に交互に切替える。
【００５１】
このように、本発明の実施の形態１によれば、選択切替スイッチ部１０４による選択の切替の時間である切替遷移期間においてＴＰＣ決定部１０９が通信相手側の通信端末装置からの上り送信電力値を増加させる指示と前記上り送信電力値を減少させる指示を所定周期で交互に生成するため、通信相手側である通信端末装置からの上り送信電力値が所定周期毎に所定幅で増減を繰り返すこととなるから、通信端末装置の上り送信電力値を適正な値にすることができる。また、本発明の実施の形態１によれば、通信端末装置の上り送信電力値を適正な値にすることができるから、通信端末装置からの上り送信電力値が過剰に大きくなることを防止して他のユーザの通信端末装置に対する干渉や他のセルへの干渉を低減することができる。
【００５２】
（実施の形態２）
次に、本発明の実施の形態２について、図面を参照して詳細に説明する。図２は、本発明の実施の形態２に係るＣＤＭＡ受信装置の構成を示すブロック図である。本発明の実施の形態２においては、本発明の実施の形態１と同じ構成要素には同じ参照符号が付されている。図２に示すＣＤＭＡ受信装置は、移動通信システムの基地局装置に用いたものである。
【００５３】
図２に示すように、本発明の実施の形態２に係るＣＤＭＡ受信装置２００は、アンテナ１０１、アナログ受信部１０２、１０３、選択切替スイッチ部１０４、監視制御部１０５、ＲＡＫＥ受信部１０６、基準ＳＩＲ決定部１０７、受信ＳＩＲ測定部１０８、ＴＰＣ決定部１０９、拡散多重部１１０、アナログ送信部１１１及びメモリ装置２０１を具備している。すなわち、本発明の実施の形態２に係るＣＤＭＡ受信装置２００は、本発明の実施の形態１に係るＣＤＭＡ受信装置１００において、メモリ装置２０１を追加してなる。メモリ装置２０１は、選択切替スイッチ部１０４とＲＡＫＥ受信部１０６との間に接続されている。また、ＲＡＫＥ受信部１０６の入力端子は、監視制御部１０５の出力端子に接続されている。ＴＰＣ決定部１０９の入力端子は、監視制御部１０５の出力端子に接続されていない。
【００５４】
次に、ＣＤＭＡ受信装置１００と異なるＣＤＭＡ受信装置２００の動作を説明する。
【００５５】
メモリ装置２０１は、現用系のアナログ受信部１０２又は１０３により算出された前回のＡＧＣ値を記憶する。監視制御部１０５は、現用系のアナログ受信部１０２又は１０３故障を検出すると、切替指示を切替スイッチ部１０４と共にＲＡＫＥ受信部１０６に与える。ＲＡＫＥ受信部１０６は、切替指示を受信している切替遷移期間においてメモリ装置２０１から入力した前回のＡＧＣ値を用いてＲＡＫＥ受信処理を行なって求めたＲＡＫＥ受信処理後の信号を基準ＳＩＲ決定部１０７及び受信ＳＩＲ測定部１０８に与える。
【００５６】
この場合には、監視制御部１０５は、切替遷移期間において切替指示をＴＰＣ決定部１０９に与えない。したがって、ＴＰＣ決定部１０５は、基準ＳＩＲ決定部１０７からの基準ＳＩＲと受信ＳＩＲ測定部１０８からの受信ＳＩＲとを比較して、受信ＳＩＲの方が基準ＳＩＲより小さい時に通信相手側の通信端末装置からの上り送信電力値を増加させる指示を上り送信電力制御用ＴＰＣビットとし、かつ、受信ＳＩＲの方が基準ＳＩＲより大きい時に通信相手側の通信端末装置からの上り送信電力値を減少させる指示を上り送信電力制御用ＴＰＣビットとして拡散多重部１１０に与える。
【００５７】
このように、本発明の実施の形態２によれば、切替遷移期間において、選択切替スイッチ部１０４による切替の直前に選択されていたアナログ受信部１０２又は１０３により算出したＡＧＣ値を用いてＲＡＫＥ受信処理した後の信号を用いて基準ＳＩＲ及び測定ＳＩＲを算出し、前記基準ＳＩＲ及び測定ＳＩＲに基づいて通信相手側の通信端末装置からの前記上り送信電力値を増加させる指示又前記上り送信電力値を減少させる指示を生成するため、不安定なＡＧＣ値を用いずに上り送信電力制御をすることができるから、通信端末装置の上り送信電力値を適正な値にすることができる。
【００５８】
また、本発明の実施の形態２によれば、通信端末装置の上り送信電力値を適正な値にすることができるから、通信端末装置からの上り送信電力値が過剰に大きくなることを防止して他のユーザの通信端末装置に対する干渉や他のセルへの干渉を低減することができる。
【００５９】
（実施の形態３）
次に、本発明の実施の形態３について、図面を参照して詳細に説明する。図３は、本発明の実施の形態３に係るＣＤＭＡ受信装置の構成を示すブロック図である。本発明の実施の形態３においては、本発明の実施の形態１と同じ構成要素には同じ参照符号が付されている。図３に示すＣＤＭＡ受信装置は、移動通信システムの基地局装置に用いたものである。
【００６０】
図３に示すように、本発明の実施の形態３に係るＣＤＭＡ受信装置３００は、アンテナ１０１、アナログ受信部１０２、１０３、選択切替スイッチ部１０４、監視制御部１０５、ＲＡＫＥ受信部１０６、基準ＳＩＲ決定部１０７、受信ＳＩＲ測定部１０８、ＴＰＣ決定部１０９、拡散多重部１１０、アナログ送信部１１１及びメモリ装置３０１を具備している。メモリ装置３０１は、選択切替スイッチ部１０４とＲＡＫＥ受信部１０６との間に接続されている。また、ＲＡＫＥ受信部１０６の入力端子は、監視制御部１０５の出力端子に接続されている。すなわち、本発明の実施の形態３に係るＣＤＭＡ受信装置３００は、本発明の実施の形態１に係るＣＤＭＡ受信装置１００において、メモリ装置３０１を追加してなる。
【００６１】
次に、ＣＤＭＡ受信装置１００と異なるＣＤＭＡ受信装置３００の動作を説明する。
【００６２】
メモリ装置３０１は、現用系のアナログ受信部１０２又は１０３により算出された数回のＡＧＣ値を記憶する。監視制御部１０５は、現用系のアナログ受信部１０２又は１０３故障を検出すると、切替指示を切替スイッチ部１０４と共にＲＡＫＥ受信部１０６に与える。ＲＡＫＥ受信部１０６は、切替指示を受信している切替遷移期間においてメモリ装置３０１から入力した数回のＡＧＣ値の平均値を用いてＲＡＫＥ受信処理を行なって求めたＲＡＫＥ受信処理後の信号を基準ＳＩＲ決定部１０７及び受信ＳＩＲ測定部１０８に与える。すなわち、選択切替スイッチ部１０４による切替の時間である切替遷移期間において用いるＡＧＣ値として、選択切替スイッチ部１０４による切替の直前に選択されていた現用系のアナログ受信部１０２又は１０３により算出したＡＧＣ値の平均値を用いる。
【００６３】
この場合には、監視制御部１０５は、切替遷移期間において切替指示をＴＰＣ決定部１０９に与えない。したがって、ＴＰＣ決定部１０５は、基準ＳＩＲ決定部１０７からの基準ＳＩＲと受信ＳＩＲ測定部１０８からの受信ＳＩＲとを比較して、受信ＳＩＲの方が基準ＳＩＲより小さい時に通信相手側の通信端末装置からの上り送信電力値を増加させる示を上り送信電力制御用ＴＰＣビットとし、かつ、受信ＳＩＲの方が基準ＳＩＲより大きい時に通信相手側の通信端末装置からの上り送信電力値を減少させる指示を上り送信電力制御用ＴＰＣビットとして拡散多重部１１０に与える。
【００６４】
このように、本発明の実施の形態３によれば、本発明の実施の形態２の効果に加えて、切替遷移期間において用いるＡＧＣ値として、選択切替手段による切替の直前に選択されていた第１又は第２のアナログ受信手段により算出したＡＧＣ値の平均値を用いるため、不安定なＡＧＣ値を用いずに上り送信電力制御をすることができるから、通信端末装置の上り送信電力値を適正な値にすることができる。
【００６５】
（実施の形態４）
次に、本発明の実施の形態４について、図面を参照して詳細に説明する。図４は、本発明の実施の形態４に係るＣＤＭＡ受信装置の構成を示すブロック図である。本発明の実施の形態４においては、本発明の実施の形態１と同じ構成要素には同じ参照符号が付されている。図４に示すＣＤＭＡ受信装置は、移動通信システムの基地局装置に用いたものである。
【００６６】
図４に示すように、本発明の実施の形態４に係るＣＤＭＡ受信装置４００は、アンテナ１０１、アナログ受信部１０２、１０３、選択切替スイッチ部１０４、監視制御部１０５、ＲＡＫＥ受信部１０６、ＴＰＣ抽出部４０１、送信電力決定部４０２、拡散多重部１１０及びアナログ送信部１１１を具備している。
【００６７】
ＴＰＣ抽出部４０１の入力端子は、ＲＡＫＥ受信部１０６の出力端子に接続されている。送信電力決定部４０２の入力端子は、監視制御部１０５及びＴＰＣ抽出部４０１の出力端子に接続されている。送信電力決定部４０２の出力端子は、拡散多重部１１０の入力端子に接続されている。
【００６８】
アンテナ１０１は、到来してくる電波である情報を受信して処理し受信信号を生成してアナログ受信部１０２、１０３に与える。アナログ受信部１０２、１０３の一方は現用系として用いられる。アナログ受信部１０２、１０３の他方は、アナログ受信部１０２、１０３の一方が故障した時のバックアップのための予備系として用いられる。アナログ受信部１０２、１０３は、受信信号に対してＡＧＣ補正によるゲイン調整を行ってＡＧＣ値を算出した後に、受信信号をＡＤ変換する。
【００６９】
監視制御部１０５は、現用系のアナログ受信部１０２又は１０３の故障状態を監視している。監視制御部１０５は、現用系のアナログ受信部１０２又は１０３の故障を検出すると、切替スイッチ部１０４に対して入力先を現用系のアナログ受信部１０２又は１０３から予備系のアナログ受信部１０３又は１０２へ切り替える切替指示を与える。切替スイッチ部１０４は、監視制御部１０５からの切替指示に応じて現用系のアナログ受信部１０２又は１０３の出力信号から予備系のアナログ受信部１０３又は１０２の出力信号に選択を切り替えて選択した出力信号を受信信号としてＲＡＫＥ受信部１０６に送る。
【００７０】
ＲＡＫＥ受信部１０６は、ＡＤ変換後の受信信号に対して所定のタイミングで逆拡散処理を行い、パス数分の逆拡散処理出力に対して伝搬路における位相ずれを補正した後に、タイミング調整を行い最大比合成する。ここで、ＲＡＫＥ受信部１０６における処理の中で振幅情報を用いる処理は、現用系のアナログ受信部１０１又は１０２で求めたＡＧＣ値を用いて行う。
【００７１】
ＴＰＣ抽出部４０１は、ＲＡＫＥ受信部１０６からの信号に基づいて通信端末装置から送信された下り送信電力制御用ＴＰＣビットを得る。下り送信電力決定部４０２は、監視制御部１０５からの切替指示を受けていない時に、ＴＰＣ抽出部４０１が求めた下り送信電力制御用ＴＰＣビットを用いて下り送信電力値を決定する。また、下り送信電力決定部４０２は、現用系のアナログ受信部１０２、１０３の出力信号から予備系のアナログ受信部１０３、１０２の出力信号への選択切替スイッチ部１０４による選択の切替の時間である切替遷移期間において、すなわち、監視制御部１０５からの切替指示を受けている期間において、選択切替スイッチ部１０４よる選択の切替の直前の下り送信電力値とする。
【００７２】
拡散多重部１１０は、ＴＰＣ決定部１０９からの下り送信電力値を拡散多重してアナログ送信部１１１に与える。アナログ送信部１１１は、拡散多重部１１０からの拡散多重された下り送信電力値に基づいて送信電力を制御する。
【００７３】
このように、本発明の実施の形態４によれば、切替遷移期間において、制御に用いる下り送信電力値を選択切替手段による選択の切替の直前の下り送信電力値とするため、下り送信電力値が不定値となることを防止して基地局の下り送信電力値を適正な値にすることができる。
【００７４】
（実施の形態５）
次に、本発明の実施の形態５について、図面を参照して詳細に説明する。図５は、本発明の実施の形態５に係るＣＤＭＡ受信装置の構成を示すブロック図である。本発明の実施の形態５においては、本発明の実施の形態４と同じ構成要素には同じ参照符号が付されている。図５示すＣＤＭＡ受信装置は、移動通信システムの基地局装置に用いたものである。
【００７５】
図５に示すように、本発明の実施の形態５係るＣＤＭＡ受信装置５００は、アンテナ１０１、アナログ受信部１０２、１０３、選択切替スイッチ部１０４、監視制御部１０５、ＲＡＫＥ受信部１０６、ＴＰＣ抽出部４０１、送信電力決定部４０２、拡散多重部１１０、アナログ送信部１１１及びメモリ装置５０１を具備している。メモリ装置５０１は、選択切替スイッチ部１０４とＲＡＫＥ受信部１０６との間に接続されている。また、ＲＡＫＥ受信部１０６の入力端子は、監視制御部１０５の出力端子に接続されている。すなわち、本発明の実施の形態５に係るＣＤＭＡ受信装置５００は、本発明の実施の形態４に係るＣＤＭＡ受信装置４００において、メモリ装置５０１を追加してなる。
【００７６】
次に、ＣＤＭＡ受信装置４００と異なるＣＤＭＡ受信装置５００の動作を説明する。
【００７７】
メモリ装置５０１は、現用系のアナログ受信部１０２又は１０３により算出された前回のＡＧＣ値を記憶する。監視制御部１０５は、現用系のアナログ受信部１０２又は１０３故障を検出すると、切替指示を切替スイッチ部１０４と共にＲＡＫＥ受信部１０６に与える。ＲＡＫＥ受信部１０６は、切替指示を受信している切替遷移期間においてメモリ装置５０１から入力した前回のＡＧＣ値を用いてＲＡＫＥ受信処理を行なって求めたＲＡＫＥ受信処理後の信号をＴＰＣ抽出部４０１に与える。
【００７８】
ＴＰＣ抽出部４０１は、ＲＡＫＥ受信部１０６からの信号に基づいて通信端末装置から送信された下り送信電力制御用ＴＰＣビットを得る。この場合には、監視制御部１０５は、切替遷移期間において切替指示を送信電力決定部４０２に与えない。したがって、送信電力決定部４０２は、ＴＰＣ抽出部４０１が求めた下り送信電力制御用ＴＰＣビットを用いて下り送信電力値を決定する。
【００７９】
このように、本発明の実施の形態５によれば、切替遷移期間において、選択切替手段による切替の直前に選択されていた現用系のアナログ受信部１０２又は１０３により算出したＡＧＣ値を用いてＲＡＫＥ受信処理した後の信号を用いて、通信相手側の通信端末装置から送信されてきた送信電力制御ビットを復調し、前記復調後の送信電力制御ビットに基づいて前記下り送信電力値の増減を制御するため、不安定なＡＧＣ値を用いずに下り送信電力制御をすることができるから、前記下り送信電力値が不定値となることを防止して基地局の下り送信電力値を適正な値にすることができる。
【００８０】
（実施の形態６）
次に、本発明の実施の形態６について、図面を参照して詳細に説明する。図６は、本発明の実施の形態６に係るＣＤＭＡ受信装置の構成を示すブロック図である。本発明の実施の形態６においては、本発明の実施の形態６と同じ構成要素には同じ参照符号が付されている。図６に示すＣＤＭＡ受信装置は、移動通信システムの基地局装置に用いたものである。
【００８１】
図６に示すように、本発明の実施の形態６に係るＣＤＭＡ受信装置６００は、アンテナ１０１、アナログ受信部１０２、１０３、選択切替スイッチ部１０４、監視制御部１０５、ＲＡＫＥ受信部１０６、ＴＰＣ抽出部４０１、送信電力決定部４０２、拡散多重部１１０、アナログ送信部１１１及びメモリ装置６０１を具備している。メモリ装置６０１は、選択切替スイッチ部１０４とＲＡＫＥ受信部１０６との間に接続されている。また、ＲＡＫＥ受信部１０６の入力端子は、監視制御部１０５の出力端子に接続されている。すなわち、本発明の実施の形態６に係るＣＤＭＡ受信装置６００は、本発明の実施の形態４に係るＣＤＭＡ受信装置４００において、メモリ装置６０１を追加してなる。
【００８２】
次に、ＣＤＭＡ受信装置４００と異なるＣＤＭＡ受信装置６００の動作を説明する。
【００８３】
メモリ装置６０１は、現用系のアナログ受信部１０２又は１０３により算出された数回のＡＧＣ値を記憶する。監視制御部１０５は、現用系のアナログ受信部１０２又は１０３故障を検出すると、切替指示を切替スイッチ部１０４と共にＲＡＫＥ受信部１０６に与える。ＲＡＫＥ受信部１０６は、切替指示を受信している切替遷移期間においてメモリ装置６０１から入力した数回のＡＧＣ値の平均値を用いてＲＡＫＥ受信処理を行なって求めたＲＡＫＥ受信処理後の信号を基準ＳＩＲ決定部１０７及び受信ＳＩＲ測定部１０８に与える。すなわち、選択切替スイッチ部１０４による切替の時間である切替遷移期間において用いるＡＧＣ値として、選択切替スイッチ部１０４による切替の直前に選択されていた現用系のアナログ受信部１０２又は１０３により算出したＡＧＣ値の平均値を用いる。
【００８４】
ＴＰＣ抽出部４０１は、ＲＡＫＥ受信部１０６からの信号に基づいて通信端末装置から送信された下り送信電力制御用ＴＰＣビットを得る。この場合には、監視制御部１０５は、切替遷移期間において切替指示を送信電力決定部４０２に与えない。したがって、送信電力決定部４０２は、ＴＰＣ抽出部４０１が求めた下り送信電力制御用ＴＰＣビットを用いて下り送信電力値を決定する。
【００８５】
このように、本発明の実施の形態６によれば、本発明の実施の形態５の効果に加えて、切替遷移期間において用いるＡＧＣ値として、選択切替スイッチ部１０４による切替の直前に選択されていた現用系のアナログ受信部１０２又は１０３により算出したＡＧＣ値の平均値を用いるため、前記下り送信電力値が不定値となることを防止して基地局の下り送信電力値を適正な値にすることができる。
【００８６】
なお、本発明は、移動体通信システムにおける基地局装置に適用することができる。また、本発明は、前記ＣＤＭＡ受信装置における動作を実施するＣＤＭＡ受信方法を含むものである。
【００８７】
【発明の効果】
以上説明したように、本発明によれば、上り送信電力制御用ＴＰＣビットが不定値となることを防止して通信端末装置の上り送信電力値を適正な値にすることができる。
【００８８】
また、本発明によれば、制御に用いる下り送信電力値が不定値となることを防止して基地局の下り送信電力値を適正な値にすることができる。
【図面の簡単な説明】
【図１】本発明の実施の形態１に係るＣＤＭＡ受信装置の構成を示すブロック図
【図２】本発明の実施の形態２に係るＣＤＭＡ受信装置の構成を示すブロック図
【図３】本発明の実施の形態３に係るＣＤＭＡ受信装置の構成を示すブロック図
【図４】本発明の実施の形態４に係るＣＤＭＡ受信装置の構成を示すブロック図
【図５】本発明の実施の形態５に係るＣＤＭＡ受信装置の構成を示すブロック図
【図６】本発明の実施の形態６に係るＣＤＭＡ受信装置の構成を示すブロック図
【図７】従来のＣＤＭＡ受信装置の構成を示すブロック図
【図８】従来の他のＣＤＭＡ受信装置の構成を示すブロック図
【符号の説明】
１００、２００、３００、４００、５００、６００　ＣＤＭＡ受信装置
１０１　アンテナ
１０２、１０３　アナログ受信部
１０４　選択切替スイッチ部
１０５　監視制御部
１０６　ＲＡＫＥ受信部
１０７　基準ＳＩＲ決定部
１０８　受信ＳＩＲ測定部
１０９　ＴＰＣ決定部
１１０　拡散多重部
１１１　アナログ送信部
２０１、３０１、５０１、６０１　メモリ装置
４０１　ＴＰＣ抽出部
４０２　送信電力決定部
【図１】
2004064242.tif 000003
【図２】
2004064242.tif 000004
【図３】
2004064242.tif 000005
【図４】
2004064242.tif 000006
【図５】
2004064242.tif 000007
【図６】
2004064242.tif 000008
【図７】
2004064242.tif 000009
【図８】
2004064242.tif 000010